(57)【特許請求の範囲】
【請求項１】
海浜へ打ち寄せる波、及び水位が上昇した海水を砂地面下へ透水させ沖合い方向へ排水させる海浜安定化構造に用いる透水・排水設備であって、
長手方向に間隔をあけて幅方向へ配置した複数の幅方向繋ぎ材と、少なくとも幅方向の両端部の位置に長手方向へ平行に配置した縦枠材とを接合してユニットフレームが組み立てられ、前記ユニットフレームの面内に、その長手方向の全長に及ぶ長さで透水性を有する構造の中空部材が幅方向に複数列配置され、前記ユニットフレームへ取り付けて透水層ユニットが構成されていること、
前記透水層ユニットの長手方向における沖側の端部に、前記の各中空部材と連通する集水管が幅方向に設置されていること、
前記集水管の排水口に排水管が接続されていること、
をそれぞれ特徴とする、海浜安定化構造用の透水・排水設備。
【請求項２】
複数の透水層ユニットが長手方向に一連に配置され、各ユニットは前後するユニットフレーム同士が相互に剛接合され、且つ相対峙する各中空部材同士も列毎に一連に接続されており、前記透水層ユニットのうち最も沖側に位置する透水層ユニットの長手方向における沖側の端部に、前記各列の中空部材と連通する集水管が幅方向に設置され、前記集水管の排水口に排水管が接続されていることをそれぞれ特徴とする、請求項１に記載した海浜安定化構造用の透水・排水設備。
【請求項３】
透水層ユニットにおけるユニットフレームの長手方向の接続端部に接続用の係合部材が設けられ、前記係合部材により前後する透水層ユニットのユニットフレーム同士の接合が行われていることを特徴とする、請求項２に記載した海浜安定化構造用の透水・排水設備。
【請求項４】
前後して相互に接続される透水層ユニットの端部のうち、後から海浜へ沈設される透水層ユニットの端部に幅揃え部材が設置されていることを特徴とする、請求項２又は３に記載した海浜安定化構造用の透水・排水設備。
【請求項５】
中空部材は、透水性部材によって横断面を矩形状に形成され、透水性部材の外面を防砂シートで被覆した構成とされていることを特徴とする、請求項１又は２に記載した海浜安定化構造用の透水・排水設備。
【請求項６】
中空部材は、横断面が円形状の多孔管であることを特徴とする、請求項１又は２に記載した海浜安定化構造用の透水・排水設備。
【請求項７】
中空部材は、横断面が円形状の多孔管の外面を防砂シートで被覆した構成であることを特徴とする、請求項１又は２に記載した海浜安定化構造用の透水・排水設備。
【発明の詳細な説明】
【０００１】
【発明の属する技術分野】
この発明は、海浜へ打ち寄せる波、及び水位が上昇した海水を速やかに砂地面下へ透水させ沖合い方向へ排水することによって海浜を安定化させる海浜安定化構造の築造に使用される透水・排水設備の技術分野に属し、更に云えば、海上及び海中における海浜安定化の施工性に優れるユニット型構造の透水・排水設備に関する。
【０００２】
【従来の技術】
従来、海浜に砂浜を確保し又は人工的に養砂して安定化させる人工海浜技術として実施される海浜安定化構造は、例えば特許第２６５４５０９号公報その他に記載されて公知である。
【０００３】
そうした人工海浜部ないし海浜安定化構造の概要は、図１５に例示したように、海浜の沖合いの海底に透水層下部の養浜土６を盛り、その上に捨石を投入して均す方法で集水部の基礎マウンド２を構築する。そして、前記養浜土６の上面を均し整形した後に、前記基礎マウンド２を基点として陸側へ波打ち際近辺まで透水層３を設け、その上に砂４を盛り、海浜へ打ち寄せる波及び水位が上昇した海水は砂地面下の透水層３へ速やかに透水させる。透水層３へ入った海水は、同透水層の下流端において排水管５に集め、沖合い方向へ排水させる。従って、透水層３の上に盛った砂４が引く波にさらわれて沖合い方向へ流失する現象は発生しにくく、むしろ寄せる波に運ばれてきた砂が透水に伴ってそのまま残存し、砂浜の増量（養砂）効果さえ期待できる。
【０００４】
前記透水層３の構築法としては、上記の特許第２６５４５０９号公報記載の発明のように、複数の透水性パイプを列状に沖合い方向へ埋設し、その間を石材で埋めた構造、又は中空構造の枠体の外面にフィルター部材を張った平形ドレンユニットを複数列の面状に埋設した構造などが実施されている。
【０００５】
【発明が解決しようとする課題】
上記透水層の構築は、海面下のかなり深い場所での工事として行われ、海上には工事用の作業船を用意し、水中工事の為に潜水士を働かせる。従って、天候によって工事の進捗を左右され易いので、段取り良く、効率的に工事を進めないと、工期が延びるし、工事費用が嵩むことになる。
【０００６】
従って、本発明の目的は、透水層を形成する工事が容易で、効率的な作業の進捗に寄与する大きさ、規模のユニット構造に構成され、各ユニットの吊り込み設置と接続の単純作業によって能率良く、安全に工事を進められるように構成した海浜安定化構造用の透水・排水設備を提供することである。
【０００７】
【課題を解決するための手段】
上記の課題を解決するための手段として、請求項１に記載した発明に係る海浜安定化構造用の透水・排水設備は、
海浜へ打ち寄せる波、及び水位が上昇した海水を砂地面下へ透水させ沖合い方向へ排水させる海浜安定化構造に用いる透水・排水設備であって、
長手方向に間隔をあけて幅方向へ配置した複数の幅方向繋ぎ材と、少なくとも幅方向の両端部の位置に長手方向へ平行に配置した縦枠材とを接合してユニットフレームが組み立てられ、前記ユニットフレームの面内に、その長手方向の全長に及ぶ長さで透水性を有する構造の中空部材が幅方向に複数列配置され、前記ユニットフレームへ取り付けて透水層ユニットが構成されていること、
前記透水層ユニットの長手方向における沖側の端部に、前記の各中空部材と連通する集水管が幅方向に設置されていること、
前記集水管の排水口に排水管が接続されていること、
をそれぞれ特徴とする。
【０００８】
請求項２記載の発明は、請求項１に記載した海浜安定化構造用の透水・排水設備において、
複数の透水層ユニットが長手方向に一連に配置され、各ユニットは前後するユニットフレーム同士が相互に剛接合され、且つ相対峙する各中空部材同士も列毎に一連に接続されており、前記透水層ユニットのうち最も沖側に位置する透水層ユニットの長手方向における沖側の端部に、前記各列の中空部材と連通する集水管が幅方向に設置され、前記集水管の排水口に排水管が接続されていることをそれぞれ特徴とする。
【０００９】
請求項３記載の発明は、請求項２に記載した海浜安定化構造用の透水・排水設備において、
透水層ユニットにおけるユニットフレームの長手方向の接続端部に接続用の係合部材が設けられ、前記の係合部材により前後する透水層ユニットのユニットフレーム同士の接合が行われていることを特徴とする。
【００１０】
請求項４記載の発明は、請求項２又は３に記載した海浜安定化構造用の透水・排水設備において、
前後して相互に接続される透水層ユニットの端部のうち、後から海浜へ沈設される透水層ユニットの端部に幅揃え部材が設置されていることを特徴とする。
【００１１】
請求項５記載の発明は、請求項１又は２に記載した海浜安定化構造用の透水・排水設備において、
中空部材は、透水性部材によって横断面を矩形状に形成され、透水性部材の外面を防砂シートで被覆して構成されていることを特徴とする。
【００１２】
請求項６記載の発明は、請求項１又は２に記載した海浜安定化構造用の透水・排水設備において、
中空部材は、横断面が円形状の多孔管であることを特徴とする。
【００１３】
請求項７記載の発明は、請求項１又は２に記載した海浜安定化構造用の透水・排水設備において、
中空部材は、横断面が円形状の多孔管の外面を防砂シートで被覆した構成であることを特徴とする。
【００１４】
【発明の実施の形態及び実施例】
図１〜３には、請求項１に記載した発明に係る海浜安定化構造用の透水・排水設備１０の実施形態を示している。
【００１５】
この透水・排水設備１０は、海浜へ打ち寄せる波、及び水位が上昇した海水を砂地面下へ透水させ、沖合い方向へ速やかに排水する海浜安定化構造の上記透水層３（図１５を参照）を造成する透水・排水設備として好適に使用される。
【００１６】
図１〜図３に示した透水・排水設備１０は、その長手方向（図１の左右方向）に４ｍ程度の間隔をあけて、幅方向（図１の上下方向）へ配置した複数本の幅方向繋ぎ材１１、１１と、同設備の幅方向の両端部の位置に、約６ｍ程度の間隔で長手方向へ平行に配置した２本の縦枠材１２、１２とを剛接合して、縦×横が９ｍ×６ｍ程度の大きさのユニットフレームが平版状に組み立てられている。そして、前記ユニットフレームの面内、即ち、せいの高さが２５０mm程度のＨ形鋼を使用した縦枠材１２の前記せいの高さの範囲内に、同設備の長手方向の全長に及ぶ長さで透水性を有する中空構造の中空部材１３が図示例の場合は幅方向に４列平行に配置され（図３）、各々前記ユニットフレームへ取り付けて透水層ユニットが構成されている。
【００１７】
前記中空部材１３の取り付け手段として、図示例の場合は、前記ユニットフレームの下面側の幅方向に複数本のアングル１４…が１．５ｍ位の間隔で平行に配置され、各々の両端を縦枠材１２と接合し、同アングル１４の上に中空部材１３が載置されている。そして、前記アングル１４と上下に相対峙する配置で、各中空部材１３の上面側の縁へ載せた押さえプレート１５を、アングル１４へボルト止めして位置決め固定が行われている。但し、組み立て順序としては、先に各列の中空部材１３を押さえプレート１５にてアングル１４へ位置決め固定し、しかる後に各アングル１４…の両端をユニットフレームの縦枠材１２へ当てがい接合する。
【００１８】
図示例の中空部材１３は、図４と図５に詳示したように、透水性部材の一例としてエキスパンドメタル１３Ａを主材とし、その外面を防砂シート１３Ｂで被覆した複合板を使用し、平板状の底板１３Ｃへ、ほぼ台形状に成形した上板１３Ｄが重ね合わされ、幅方向両端の重合部を接合して偏平な矩形状（図示例の台形状その他を含む形状）の中空構造に構成されている（請求項５記載の発明）。
【００１９】
前記中空部材１３は、１単位の長さとして３ｍ前後に裁断した単位体が使用され、図１の実施例では、ユニットフレームの長手方向（左右方向）の１列につき前記単位体を３本一連に並べて接続した構成とし、中間の２箇所に単位体同士の継手が発生している。
【００２０】
前記継手の接合手段として、図示例の場合は、図４及び図５に示したように、幅寸が４００mm程度の平鉄板の加工品が使用されている。即ち、各中空部材１３の上面にぴったり密着する台形状に成形した上面隙間カバープレート１６と、平板状の下面隙間カバープレート１７とを各継手部に当てがう。上下の隙間カバープレート１６、１７による接続構造は、先ず下面隙間カバープレート１７の上面に防砂シート１８を貼り、その上に２本の止水テープ１９を平行に敷設し、各止水プレート１９の上に、一連に接続するべき２本の前記単位体（中空部材１３、１３）の接合端部を、同下面隙間カバープレート１７の前記幅寸の１／２ずつの長さに等分して載せ突き合わせる。各中空部材１３の接合端部の上面側にもそれぞれ止水テープ１９を平行に敷設し、隣接する２本の止水テープ１９に跨る幅の防砂シート１８を貼り、更にその上を上面隙間カバープレート１６で覆う。そして、上下の隙間カバープレート１６、１７の両端部をボルト２６で締結して一連の接続が行われている。
【００２１】
従って、この継手部分の隙間へ砂が流入したり、又は上流側に透水し流れてきた海水が漏出する心配はない。各列の中空部材１３へ透水した海水は、そのまま中空部材１３の中空部内を流水勾配にしたがって速やかに流れ排水される。
【００２２】
中空部材１３の構造及び形態は、上記実施例のかぎりではない。図示することは省略したが、たとえば金属製または合成樹脂製その他の横断面が円形状をなす多孔管である場合、又は多孔管の外周面を防砂シートで覆った構成でも全く同様に使用される（請求項６及び７に記載した発明）。
【００２３】
上記構成の透水層ユニットには、その長手方向の一端部であって沖側に配置される端部に、前記各列の中空部材１３と連通する集水管２０（所謂ヘッダー）が幅方向に設置されている。集水管２０は、その両端部を各縦枠材１２、１２へ当接させて接合されている。集水管２０に用意した複数の受水口２１が各列の中空部材１３の中空部と個別に接続されている。前記集水管２０にはまた、前記受水口２１とは反対側の側面に１個の排水口２２が設けられ、この排水口２２に排水管２３が接続されている（以上、請求項１に記載した発明）。
【００２４】
上記集水管２０は、一つのユニットに複数列使用される中空部材１３に対して、１本の排水管２３で排水するための所謂ヘッダーとして使用している。したがって、排水管２３の接続態様は、図９Ａのように２本の中空部材１３の中間部に接続する場合、或いは３本の中空部材１３の中央に位置する中空部材の集水管２０へ接続する態様などを実施可能である。
【００２５】
上記構成の透水・排水設備１０には、海中、海底への吊り込み、沈設作業を前提として、各幅方向繋ぎ材１１の両端部近傍の位置に吊り環２４が設けられ、合計４個の吊り環２４へ図１０及び図１１のようにクレーン４１のワイヤー４２を連結して水平姿勢にバランス良く吊り上げられ、海底（養浜土６）の面上へ沈設して透水層３（図１５）の形成が行われる。
【００２６】
上記透水層３（図１５参照）の形成は、上記構成の透水・排水設備１０を敷設して行われる。しかし、施工対象海浜の規模が沖合い方向に向かって長い場合には、図６に例示したように、上記構成の透水層ユニットを複数個長手方向に一連に接続して透水層３の形成を能率的に行うことも実施される（請求項２記載の発明）。
【００２７】
図６の場合、右端には、図１に示した透水層ユニット、即ち、沖側の端部に集水管２０及び排水管２３を備えた透水・排水設備１０が使用されている。要するに排水の最下流側に位置する透水層ユニット１０にのみ中空部材１３の沖側端部に集水管２０が設置される。それより左方のいわゆる上流側には、透水層ユニットの構成は共通するが、集水管及び排水管を備えない構成の透水・排水設備１０Ｂ…が、施工対象海浜の沖合い方向に必要な長さを達成する個数だけ接続される。よって、必然的に各ユニットの接続部に継手２５が発生する。
【００２８】
上記継手２５の接続は、当然に海中の作業となり、潜水士による作業となるので、作業の内容を簡単、容易にして能率を高める工夫が重視される。その手段を図７と図８に例示したように、隣接する透水層ユニットのユニットフレームの接続端部に、係合部材として、海浜へ先行して沈設される先行の透水層ユニットの端部に接続位置案内用の傾斜案内部材３０が上向きに突設され、後から沈設される後行の透水層ユニットの端部には、同じく係合部材として、前記傾斜案内部材３０の傾斜面に沿って滑り沈設位置を案内される被案内部材３１がそれぞれ設置されている。傾斜案内部材３０は、幅方向繋ぎ材１１の端部から上方へ６０度位の角度で立ち上がるＨ形鋼で構成されている。被案内部材３１は、縦枠材１２の接合端部の上面から同方向へ突き出すＨ形鋼の先端面に、前記案内部材３０の傾斜面と同一角度のスライドプレート３１ａを取り付けた構成とされている（請求項４に記載した発明）。
【００２９】
したがって、図１０および図１１に沈設作業要領図を示したように、海上の作業船４０のクレーン４１によって上記の各透水層ユニット１０及び１０Ｂを吊り込み海底へ敷設するに際して、先行の透水層ユニットの端部に設けられた傾斜案内部材３０に沿って後行の透水層ユニットの被案内部材３１におけるスライドプレート３１ａを当接させつつ下降させる。そうすると、前後する二つの透水層ユニットはきっちりと一連に接続するのに適正な位置へ沈設でき、直ちにボルト止め等の接合作業を進められる。
【００３０】
その上、前記透水層ユニットの沈設作業を合理的に確実に行う手段として、後から海浜へ沈設される透水層ユニットの接続端部に、幅揃え部材４３が設置されている（請求項４記載の発明）。
【００３１】
具体的には図７に示したように、上記被案内部材３１の外側面に沿って更に同方向前方へ突き出す形態に幅揃え部材４３が設置されている。
【００３２】
したがって、図１０のように台船４４の上に積み重ねて現場へ運搬してきた透水層ユニットをクレーン４１で吊って海底へ沈設するに際しては、前記幅揃え材４３を、先行して沈設した透水層ユニットの案内部材３０の外側面へ当接させ、同時に被案内部材３１の先端部のスライドプレート３１ａを案内部材３０の傾斜面へ当接させ、同傾斜面を滑降させつつ、透水層ユニットを最終段階まで下降させて沈設作業を行う。
【００３３】
なお、前記の沈設作業を水中作業として確実、容易に行う方法として、図７及び図１１に示したように、作業船４０上のウインチ４６から引きだしたワイヤー４７を、先行して沈設した透水層ユニットの接合側端部の吊り環２４へ取り付けたフック４５へ通し、つづいて後行ユニットの接合側端部の吊り環２４へ連結しておく。そして、クレーン４１による透水層ユニットの沈設作業にしたがい、前記ウインチ４６でワイヤー４７へ適度な張力をかけてコントロールを行う。かくすると、最終的にはおよそ図８に示したように、先後の関係で前後する二つの透水層ユニットが相互に幅揃えされる。しかも被案内部材３１が先行ユニットの縦枠材１２の上面へきっちり載った接続可能状態に一回の操作で簡単、確実に沈設できる。
【００３４】
そこで、直ちに水中に潜った潜水士による継手２５の接続作業が具体的に行われる。継手２５の接続作業は、ユニットフレーム相互の接合と、各透水層ユニットを構成する中空部材１３同士の接合の二つに大別される。
【００３５】
前記ユニットフレーム相互の接合は、透水層ユニットの沈設作業の終了と同時に、上述したように被案内部材３１が先行ユニットの縦枠材１２の上面へきっちり載った接続可能状態になることを利用して、そのまま被案内部材３１を先行ユニットの縦枠材１２と例えばボルト５０で締結して接合する。
【００３６】
一方、各透水層ユニットを構成する中空部材１３同士の接合は、上述したユニット内の中空部材単位体同士を接続する継手（図４を参照）の構造と大部分類似している。但し、ユニット相互の関係における中空部材１３を接続する継手としては、図７が分かりやすいように、下面隙間カバープレート１７’は予めユニットの幅寸相当長さの平板として用意され、同一長さのアングル１４で補剛した上で、その両端部が先行ユニットの接合端部における縦枠材１２、１２の下面に、同プレートの幅寸の約１／２部分を接合して準備される。かくして、同下面隙間カバープレート１７’の幅寸の１／２相当部が突き出されている上に、後行ユニットの中空部材１３の接合端部が、上述した沈設作業の要領にしたがって載置される。
【００３７】
その後、各中空部材１３の上面側へ上面隙間カバープレート１６を当てがい、これを下面隙間カバープレート１７’へボルト止めする等の方法で位置決め固定することは、上記した継手の構造と同じである。この場合の上面隙間カバー１６は、透水層ユニットの幅寸に相当する長さの一枚もので構成し実施することもできる。
【００３８】
図１のように単体で使用される透水層ユニット１０、または図６のように複数の透水層ユニットを接続した場合の中空部材１３の上流側の開口端部は、最終的に透水シート等を被せて閉鎖し、砂の流失を防ぐ。
【００３９】
ところで、透水層ユニットによる透水層３（図１５）の形成において、上記継手２５の接続を簡単、容易に能率良く行う手段は、上記図７と図８に示した実施例の限りではない。図１２〜図１４に示した構成などによっても効果的に行うことができる。
【００４０】
図１２Ａ、Ｂにおいて、一連に配置され前後する透水層ユニットのユニットフレームの接続端部には、海浜へ先行して沈設される先行の透水層ユニットの端部に、係合部材として、接続用の突起５３が上向きに突設される。他方、後から沈設される後行の透水層ユニットの端部にも、係合部材として、前記突起５３に嵌まる中空構造の接合スリーブ５１がそれぞれ設置されている。前記の突起５３は、外径が１１０mm、高さが２５０mm程度の鋼管で構成され、上端面は球面状に閉鎖され、その中空部内には耐圧縮用としてコンクリートが充填されており、縦枠材１２の上面に溶接されている。接合スリーブ５１もまた外径が１６５mm、高さが１７０mm程度の鋼管で構成され、やはり縦枠材１２の上面に先端が若干突き出す配置に固定したＨ型鋼製の取り付け具５２の先端部に取り付けた構成とされている（請求項３に記載した発明）。
【００４１】
この実施形態の透水層ユニットを、上記図２の実施形態に対して、図１３に示した形態で対照できるように、係合部材たる突起５３及び接合スリーブ５１の形態が異なるだけである。
【００４２】
図１４に、この実施形態の透水層ユニットの沈設作業要領図を示した。これを上記図１０、図１１の実施形態と対照すると両者の相違点が明かなように、海上の作業船４０のクレーン４１によって吊り込む後行の透水層ユニット１０Ｂは、潜水するダイバーの誘導によって、先行して沈設した透水層ユニット１０の突起５３に対して、接合スリーブ５１を嵌めるように位置合せをして下降させるだけで良い。かくすると、突起５３と接合スリーブ５１との強固な嵌合（連結）によって、前後する二つの透水層ユニットは直ちにきっちりと一連に接続することができ、その後のボルト止め等の接合作業を簡単に進められる。
【００４３】
この実施形態においても、上記図７の幅揃え材４３は、その効能を至便に利用できる。
【００４４】
透水層ユニット同士の接続手段の他のバリエーションとして、敢えて図示することは省略したが、透水層ユニットの接続端部に、係合部材として、一方のユニットには平面的に見て内向きにＬ字形を成す連結具を、そして、他方のユニットには平面的に見て外向きにＬ字形を成す連結具をそれぞれ相互に抱き合える間隔で設け、後行の透水層ユニットを吊り込む際に、前記二つの連結具を垂直方向に係合させ抱き合わせ状態に接続する構成も実施可能である。
【００４５】
【本発明が奏する効果】
請求項１〜７記載の発明に係る海浜安定化装置の透水・排水設備によれば、運搬及び海中への沈設作業に適度な大きさ、形態のユニットに構成し、更に現場における海上および海中での作業を容易ならしめる工夫も凝らしているので、現場での組み立て、敷設の工数を大幅に減らして、作業能率の向上、作業内容の単純化、ひいては海浜安定化装置の設置施工の精度向上に寄与する。
【図面の簡単な説明】
【図１】本発明に係る透水・排水設備の一例を示した平面図である。
【図２】図１の正面図である。
【図３】図１の側面図である。
【図４】透水層ユニット相互の接合部を示した斜視図である。
【図５】中空部材の実施例を示した横断面図である。
【図６】複数の透水層ユニットを接合した透水・排水設備の平面図である。
【図７】透水層ユニット相互の接合直前の状態を示した斜視図である。
【図８】透水層ユニット相互の接合状態を示した正面図である。
【図９】ＡとＢは集水管と排水管の接続態様を例示した平面図である。
【図１０】現場でのユニット沈設の要領を示した説明図である。
【図１１】現場でのユニット沈設の要領を異なった角度で示した説明図である。
【図１２】Ａ、Ｂは透水層ユニット相互の接合手段の異なる例を接合直前と直後の状態でそれぞれ示した主要部の斜視図である。
【図１３】前記透水層ユニットを示した正面図である。
【図１４】現場における透水層ユニットの沈設要領を示した説明図である。
【図１５】海浜安定化装置の設置概況を示した断面図である。
【符号の説明】
１０    透水・排水設備
１１    幅方向繋ぎ材
１２    縦枠材
１３    中空部材
１６    通孔
２０    集水管
２２    排水口
２３    排水管
３０    傾斜案内部材
３１    被案内部材
４３    幅揃え部材
１３Ａ  エキスパンドメタル
１３Ｂ  砂防シート
１３Ｃ  底板
１３Ｄ  上板
５３    突起
５１    接合スリーブ
【図１】
0004286415.tif 000002
【図２】
0004286415.tif 000003
【図３】
0004286415.tif 000004
【図４】
0004286415.tif 000005
【図５】
0004286415.tif 000006
【図６】
0004286415.tif 000007
【図７】
0004286415.tif 000008
【図８】
0004286415.tif 000009
【図９】
0004286415.tif 000010
【図１０】
0004286415.tif 000011
【図１１】
0004286415.tif 000012
【図１２】
0004286415.tif 000013
【図１３】
0004286415.tif 000014
【図１４】
0004286415.tif 000015
【図１５】
0004286415.tif 000016